(57)【要約】【課題】携帯電話機などの携帯端末において、多数の通信履歴情報の中から、ユーザが必要にしている通信履歴情報を容易に探し出せるようにする。【解決手段】着信履歴記憶部94及び発信履歴記憶部95には、それぞれ通信相手の電話番号、名称等を含んだ着信履歴情報及び発信履歴情報が格納されている。制御部６は、ユーザから着信履歴の表示が指示されると、着信履歴記憶部94に格納されている着信履歴情報の内の、優先表示電話番号（ユーザによって予め設定されているユーザにとって重要な通信相手の電話番号）を含んでいる着信履歴情報の表示順を他の着信履歴情報よりも前にして表示部８に表示し、また、ユーザから発信履歴の表示が指示されると、発信履歴記憶部95に格納されている発信履歴情報の内の、優先表示電話番号を含んでいる発信履歴情報の表示順を他の発信履歴情報よりも前にして表示部８に表示する。【選択図】図１
2007281997.tif 000002
【特許請求の範囲】
【請求項１】
通信相手の電話番号を含んだ通信履歴情報が格納された通信履歴記憶部と、
表示部と、
該表示部に通信履歴情報を表示する際、前記通信履歴記憶部に格納されている通信履歴情報の内の、優先表示電話番号を含んだ通信履歴情報の表示順を、他の通信履歴情報の表示順よりも前にする通信履歴管理部とを備えたことを特徴とする携帯端末。
【請求項２】
請求項１記載の携帯端末において、
前記通信履歴管理部が、前記通信履歴記憶部に格納されている通信履歴情報を前記表示部に表示する際、前記優先表示電話番号を含んだ通信履歴情報の表示形態を、他の通信履歴情報の表示形態とは異なるものにする構成を有することを特徴とする携帯端末。
【請求項３】
請求項１または２記載の携帯端末において、
前記通信履歴情報が、着信履歴情報または発信履歴情報であることを特徴とする携帯端末。
【請求項４】
請求項１、２または３記載の携帯端末において、
電話番号および優先表示フラグを含む電話帳情報が格納される電話帳記憶部を備え、且つ、
前記通信履歴管理部が、前記電話帳記憶部を参照し、優先表示フラグが有効になっている電話帳情報に含まれている電話番号を、前記優先表示電話番号と認識する構成を有することを特徴とする携帯端末。
【請求項５】
コンピュータにより携帯端末の通信履歴情報を表示する通信履歴表示方法において、
前記コンピュータが、通信履歴記憶部に格納されている、通信相手の電話番号を含んだ通信履歴情報を表示部に表示する際、前記通信履歴記憶部に格納されている通信履歴の内の、優先表示電話番号を含んだ通信履歴の表示順を、他の通信履歴の表示順よりも前にする通信履歴表示処理を含むことを特徴とする通信履歴表示方法。
【請求項６】
請求項５記載の通信履歴表示方法において、
前記通信履歴表示処理では、前記通信履歴記憶部に格納されている通信履歴を前記表示部に表示する際、前記優先表示電話番号を含んだ通信履歴の表示形態を、他の通信履歴の表示形態と異なるものにすることを特徴とする通信履歴表示方法。
【請求項７】
請求項５または６記載の通信履歴表示方法において、
前記通信履歴が、着信履歴または発信履歴であることを特徴とする通信履歴表示方法。
【請求項８】
請求項５、６または７記載の通信履歴表示方法において、
前記コンピュータが、電話番号および優先表示フラグを含む電話帳情報が格納される電話帳記憶部を備え、且つ、
前記通信履歴表示処理では、前記電話帳記憶部を参照し、優先表示フラグが有効になっている電話帳情報に含まれている電話番号を、前記優先表示電話番号と認識することを特徴とする通信履歴表示方法。
【請求項９】
通信相手の電話番号を含んだ通信履歴情報が格納された通信履歴記憶部と、表示部とを備えたコンピュータを、
前記表示部に通信履歴情報を表示する際、前記通信履歴記憶部に格納されている通信履歴情報の内の、優先表示電話番号を含んだ通信履歴情報の表示順を、他の通信履歴情報の表示順よりも前にする通信履歴管理部として機能させるためのプログラム。
【請求項１０】
請求項９記載のプログラムにおいて、
前記通信履歴管理部が、前記通信履歴記憶部に格納されている通信履歴情報を前記表示部に表示する際、前記優先表示電話番号を含んだ通信履歴情報の表示形態を、他の通信履歴情報の表示形態とは異なるものにする構成を有することを特徴とするプログラム。
【請求項１１】
請求項９または１０記載のプログラムにおいて、
前記通信履歴情報が、着信履歴情報または発信履歴情報であることを特徴とするプログラム。
【請求項１２】
請求項９、１０または１１記載のプログラムにおいて、
前記コンピュータが、電話番号および優先表示フラグを含む電話帳情報が格納される電話帳記憶部を備え、且つ、
前記通信履歴管理部が、前記電話帳記憶部を参照し、優先表示フラグが有効になっている電話帳情報に含まれている電話番号を、前記優先表示電話番号と認識する構成を有することを特徴とするプログラム。
【発明の詳細な説明】
【技術分野】
【０００１】
本発明は、携帯電話機、ＰＨＳ（Personal Handyphone System）などの携帯端末において、着信履歴情報や発信履歴情報といった通信履歴情報を表示する通信履歴表示技術に関し、特に、ユーザが必要としている通信履歴情報を、容易に探し出せるようにする通信履歴表示技術に関する。
【背景技術】
【０００２】
携帯電話機などの携帯端末においては、従来から着信履歴情報や発信履歴情報を管理しておき、ユーザからの指示に従って管理している着信履歴情報や発信履歴情報を表示部に表示するということが行われている。着信履歴情報には、通信相手の氏名、着信した電話番号、通信日時などが含まれており、ユーザは、表示された着信履歴情報を見ることにより、誰からいつ連絡があったのかを確認することができ、更に、特定の着信履歴情報を指定して発信操作を行うことにより、その着信履歴情報中の電話番号に発信することができる。また、発信履歴情報には、通信相手の氏名、発信した電話番号、通信日時などが含まれており、ユーザは、表示された発信履歴情報を見ることにより、誰にいつ連絡したのかを確認することができ、更に、特定の発信履歴情報を指定して発信操作を行うことにより、その発信履歴情報中の電話番号に発信することができる。
【０００３】
ところで、このような着信履歴情報や発信履歴情報の表示技術としては、従来から種々の技術が知られている（例えば、特許文献１、２、３参照）。
【０００４】
特許文献１、２に記載されている従来の技術では、携帯端末の小さな表示部を利用して、通信履歴に関する多くの情報をユーザに伝えられるようにするため、着信履歴情報や発信履歴情報の内容に応じてその表示色を異なるものにしている。例えば、着信履歴情報を表示する際には、着信に対して応答したか否かや、伝言メモによって応答したかなどによって表示色を異なるものにしている。
【０００５】
また、特許文献３に記載されている従来の技術では、着信履歴情報を利用して発信者と迅速に連絡をとれるようにするため、着信履歴情報に含まれている電話番号以外の、上記発信者に関係する電話番号にも発信できるようにしている。例えば、着信履歴情報に含まれている電話番号が、発信者の自宅の電話番号であっても、発信者の勤務先の電話番号や、携帯電話機の電話番号にも発信できるようにしている。具体的には、着信履歴情報を表示部に表示し、ユーザが特定の着信履歴情報を選択すると、選択された着信履歴情報に含まれている電話番号をキーにして電話帳を検索し、上記発信者に対して設定されている連絡先の電話番号を全て取得する。なお、上記各電話番号には、優先順位が付されている。その後、取得した各電話番号に対応するアイコンを表示部に表示し、ユーザがアイコンを指定して発信指示を行うと、そのアイコンに対応する電話番号を発信し、アイコンを指定せずに発信を指示すると、優先順位の高い電話暗号から順に発信する。
【０００６】
【特許文献１】特開２００１−１１１６７５号公報
【特許文献２】特開２００２−３００２６０号公報
【特許文献３】特開２００３−２９８７２１号公報
【発明の開示】
【発明が解決しようとする課題】
【０００７】
上述した特許文献１、２に記載されている従来の技術によれば、携帯端末の小さな表示部を利用して、通信履歴に関する多くの情報をユーザに伝えることが可能になり、特許文献３に記載されている従来の技術によれば、着信履歴情報を利用して発信者と迅速に連絡をとることが可能になる。
【０００８】
しかしながら、上述した特許文献１〜３に記載されている従来の技術には、次のような問題があった。即ち、通信履歴情報（着信履歴情報や発信履歴情報）を携帯端末の表示部に表示する場合には、特許文献１に記載されているように、最新の通信履歴情報から順に表示するか、或いは最古の通信履歴情報から順に表示するのが一般的である。このため、通信履歴情報が多数存在する場合には、ユーザが容易に必要とする通信履歴情報を探し出すことができないという問題があった。しかし、特許文献１〜３に記載されている従来の技術では、このような点は全く考慮されていなかった。
【０００９】
〔発明の目的〕
そこで、本発明の目的は、多数の通信履歴情報の中から、ユーザが必要にしている通信履歴情報を容易に探し出せるようにすることにある。
【課題を解決するための手段】
【００１０】
本発明にかかる第１の携帯端末は、
通信相手の電話番号を含んだ通信履歴情報が格納された通信履歴記憶部と、
表示部と、
該表示部に通信履歴情報を表示する際、前記通信履歴記憶部に格納されている通信履歴情報の内の、優先表示電話番号を含んだ通信履歴情報の表示順を、他の通信履歴情報の表示順よりも前にする通信履歴管理部とを備えたことを特徴とする。
【００１１】
本発明にかかる第２の携帯端末は、第１の携帯端末において、
前記通信履歴管理部が、前記通信履歴記憶部に格納されている通信履歴情報を前記表示部に表示する際、前記優先表示電話番号を含んだ通信履歴情報の表示形態を、他の通信履歴情報の表示形態とは異なるものにする構成を有することを特徴とする。
【００１２】
本発明にかかる第３の携帯端末は、第１または第２の携帯端末において、
前記通信履歴情報が、着信履歴情報または発信履歴情報であることを特徴とする。
【００１３】
本発明にかかる第４の携帯端末は、第１、第２または第３の携帯端末において、
電話番号および優先表示フラグを含む電話帳情報が格納される電話帳記憶部を備え、且つ、
前記通信履歴管理部が、前記電話帳記憶部を参照し、優先表示フラグが有効になっている電話帳情報に含まれている電話番号を、前記優先表示電話番号と認識する構成を有することを特徴とする。
【００１４】
本発明にかかる第１の通信履歴表示方法は、
コンピュータにより携帯端末の通信履歴情報を表示する通信履歴表示方法において、
前記コンピュータが、通信履歴記憶部に格納されている、通信相手の電話番号を含んだ通信履歴情報を表示部に表示する際、前記通信履歴記憶部に格納されている通信履歴の内の、優先表示電話番号を含んだ通信履歴の表示順を、他の通信履歴の表示順よりも前にする通信履歴表示処理を含むことを特徴とする。
【００１５】
本発明にかかる第２の通信履歴表示方法は、第１の通信履歴表示方法において、
前記通信履歴表示処理では、前記通信履歴記憶部に格納されている通信履歴を前記表示部に表示する際、前記優先表示電話番号を含んだ通信履歴の表示形態を、他の通信履歴の表示形態と異なるものにすることを特徴とする。
【００１６】
本発明にかかる第３の通信履歴表示方法は、第１または第２の通信履歴表示方法において、
前記通信履歴が、着信履歴または発信履歴であることを特徴とする。
【００１７】
本発明にかかる第４の通信履歴表示方法は、第１、第２または第３の通信履歴表示方法において、
前記コンピュータが、電話番号および優先表示フラグを含む電話帳情報が格納される電話帳記憶部を備え、且つ、
前記通信履歴表示処理では、前記電話帳記憶部を参照し、優先表示フラグが有効になっている電話帳情報に含まれている電話番号を、前記優先表示電話番号と認識することを特徴とする。
【００１８】
本発明にかかる第１のプログラムは、
通信相手の電話番号を含んだ通信履歴情報が格納された通信履歴記憶部と、表示部とを備えたコンピュータを、
前記表示部に通信履歴情報を表示する際、前記通信履歴記憶部に格納されている通信履歴情報の内の、優先表示電話番号を含んだ通信履歴情報の表示順を、他の通信履歴情報の表示順よりも前にする通信履歴管理部として機能させる。
【００１９】
本発明にかかる第２のプログラムは、第１のプログラムにおいて、
前記通信履歴管理部が、前記通信履歴記憶部に格納されている通信履歴情報を前記表示部に表示する際、前記優先表示電話番号を含んだ通信履歴情報の表示形態を、他の通信履歴情報の表示形態とは異なるものにする構成を有する。
【００２０】
本発明にかかる第３のプログラムは、第１または第２のプログラムにおいて、
前記通信履歴情報が、着信履歴情報または発信履歴情報であることを特徴とする。
【００２１】
本発明にかかる第４のプログラムは、第１、第２または第３のプログラムにおいて、
前記コンピュータが、電話番号および優先表示フラグを含む電話帳情報が格納される電話帳記憶部を備え、且つ、
前記通信履歴管理部が、前記電話帳記憶部を参照し、優先表示フラグが有効になっている電話帳情報に含まれている電話番号を、前記優先表示電話番号と認識する構成を有することを特徴とする。
【００２２】
〔作用〕
通信履歴記憶部には、通信相手の電話番号を含んだ、着信履歴情報や発信履歴情報といった通信履歴情報が格納されている。通信履歴管理部は、ユーザによって通信履歴の表示が指示されると、通信履歴記憶部に格納されている通信履歴情報の内の、優先表示電話番号を含んでいる通信履歴情報の表示順を、他の通信履歴情報より前にしたり、或いは表示形態を他の通信履歴情報と異なるものにする。
【発明の効果】
【００２３】
本発明によれば、多数の通信履歴情報（着信履歴情報や発信履歴情報）の中から、ユーザが必要にしている通信履歴情報を容易に探し出すことができるという効果を得ることができる。その理由は、通信履歴記憶部に格納されている通信履歴情報の内の、優先表示電話番号を含んでいる通信履歴情報の表示順を、他の通信履歴情報よりも前にする通信履歴管理部を備えているからである。
【００２４】
また、本発明によれば、優先表示電話番号を含んでいる通信履歴情報の表示順が、他の通信履歴情報よりも前になるため、通信履歴情報を利用した発信を効率的に行うことが可能になる。即ち、優先表示電話番号を含んでいる通信履歴情報は、ユーザがよく通信を行う大事な通信相手との通信履歴情報であり、このようなよく通信を行う通信相手の通信履歴情報の表示順が前になれば、スクロール操作や、ページ切替操作などを行わずとも、よく通信を行う相手に発信することができるので、通信履歴情報を利用した発信を効率的に行うことが可能になる。
【発明を実施するための最良の形態】
【００２５】
次に、発明を実施するための最良の形態について図面を参照して詳細に説明する。
【００２６】
〔第１の実施の形態の構成〕
図１を参照すると、本発明の第１の実施の形態の携帯電話機１は、アンテナ２と、無線部３と、受話器となるスピーカ４と、送話器となるマイクロフォン５と、制御部６と、キー入力部７と、ＬＣＤ等の表示部８と、記憶装置９とから構成されている。
【００２７】
無線部３は、アンテナ２を介して無線信号を送受信する機能を有する。
【００２８】
キー入力部７には、電話番号などを入力するためのテンキーや、カーソルを移動させるためのカーソルキーや、各種ファンクションキーが設けられている。
【００２９】
記憶装置９には、一時記憶部９１と、電話帳記憶部９２と、着信履歴記憶部９４および発信履歴記憶部９５を含む通信履歴記憶部９３と、プログラム記憶部９６が設けられている。
【００３０】
一時記憶部９１は、ワーク領域として利用される。
【００３１】
電話帳記憶部９２には、電話帳情報が登録されている。図２は、電話帳記憶部９２の内容例を示す図であり、同図に示すように、１件分の電話帳情報には、電話帳情報を一意に識別するための管理番号と、電話番号と、その電話番号に対応する会社名や氏名等の名称と、ＯＮ（有効）或いはＯＦＦ（無効）が設定される優先表示フラグとが含まれている。優先表示フラグは、着信履歴情報や発信履歴情報といった通信履歴情報を表示する際に利用されるものであり、優先表示フラグがＯＮ（有効）となっている電話帳情報中の電話番号（優先表示電話番号という場合もある）と同じ電話番号を含んでいる通信履歴情報は、他の通信履歴情報よりも表示順が前にされる。図２の例では、優先表示フラグがＯＮとなっている電話帳情報は、管理番号が「００２」の電話帳情報だけであるので、通信履歴情報の表示時には、電話番号「０３○○○」を含んだ通信履歴情報の表示順が、他の通信履歴情報よりも前になる。
【００３２】
着信履歴記憶部９４には、着信履歴情報が着信日時の順に登録されている。図３は、着信履歴記憶部９４の内容例を示す図であり、同図に示すように、１件分の着信履歴情報には、着信日時と、発信者の会社名や氏名などの名称と、発信者の電話番号とが含まれている。
【００３３】
発信履歴記憶部９５には、発信履歴情報が発信日時の順に登録されている。図４に発信履歴情報記憶部９５の内容例を示す。同図に示すように、１件分の発信履歴情報には、発信日時と、発信した電話番号と、その電話番号に対する会社名や氏名などの名称とが含まれている。
【００３４】
プログラム記憶部９６には、制御部９が実行するプログラムが登録されている。
【００３５】
制御部６は、携帯電話機１の各部を制御するものであり、ＣＰＵ（コンピュータ）によって実現される。制御部６は、プログラム記憶部９６に登録されているプログラムを読み込み、それに従って自身の動作を制御することにより、図５に示すように、自制御部６上に通信制御部６１、電話帳管理部６２および通信履歴管理部６３を実現する。なお、通信履歴管理部６３は、着信履歴管理部６４と、発信履歴管理部６５とから構成されている。
【００３６】
通信制御部６１は、発信処理、着信処理、通話処理など、通信に関する処理を実行する機能を有する
【００３７】
電話帳管理部６２は、電話帳記憶部９２に登録されている電話帳情報を表示部８に表示する機能や、キー入力部７から入力されるユーザの指示に従って、電話帳記憶部９２に電話帳情報を登録したり、登録されている電話帳情報を変更する機能を有する。
【００３８】
着信履歴管理部６４は、着信履歴記憶部９４に着信履歴情報を登録する機能や、優先表示電話番号を考慮した表示順で、着信履歴記憶部９４に登録されている着信履歴情報を表示部８に表示する機能を有する。
【００３９】
発信履歴管理部６５は、発信履歴記憶部９５に発信履歴情報を登録する機能や、優先表示電話番号を考慮した表示順で、発信履歴記憶部９５に登録されている発信履歴情報を表示部８に表示する機能を有する。
【００４０】
〔第１の実施の形態の動作の説明〕
次に、本実施の形態の動作について詳細に説明する。
【００４１】
〔電話帳情報登録時の動作〕
先ず、電話帳情報を登録する際の動作について説明する。ユーザは、電話帳情報を登録する場合、キー入力部７から電話帳情報登録指示を入力する。
【００４２】
これにより、制御部６内の電話帳管理部６２が、図６のフローチャートに示すように、表示部８に電話帳登録画面７０を表示する（ステップＳ６１）。図７は、電話帳登録画面７０の一例を示す図であり、電話番号の入力欄７１と、氏名や会社名といった名称の入力欄７２と、優先表示フラグをＯＮにするのかＯＦＦにするのかを選択するための選択欄７３、７４と、決定ボタン７５が設けられている。
【００４３】
ユーザは、電話帳登録画面７０が表示されると、各入力欄７１、７２に電話番号、名称を入力すると共に、選択欄７３、７４の内の一方をチェックする。その際、ユーザは、着信履歴や発信履歴の表示時に、上記電話番号を含んだ着信履歴情報や発信履歴情報を優先的に表示したい場合（表示順を前にしたい場合）は、選択欄７３をチェックし、そうでない場合は、選択欄７４をチェックする。また、電話帳管理部６２は、入力欄７１、７２に入力された電話番号、名称および選択欄７３、７４の選択結果（表示優先フラグの状態）を一時記憶部９１に格納しておく（ステップＳ６２）。ユーザは、必要事項を全て入力すると、決定ボタン７５を操作する。
【００４４】
電話帳管理部６２は、決定ボタン７５が操作されると、一時記憶部９１に格納されている電話番号、名称および優先表示フラグの状態に、管理番号を付加することにより電話帳情報を作成し、作成した電話帳情報を電話帳記憶部９２に登録する。
【００４５】
〔着信履歴表示時の動作〕
次に、着信履歴を表示する際の動作について説明する。ユーザは、着信履歴を表示する場合、キー入力部７から着信履歴表示指示を入力する。
【００４６】
これにより、制御部６内の着信履歴管理部６４は、図８のフローチャートに示すように、記憶装置９内の着信履歴記憶部９４から先頭の着信履歴情報を１件分読み出し（ステップＳ８０）、更に、電話帳記憶部９２から先頭の電話帳情報を１件分読み出す（ステップＳ８１）。その後、着信履歴管理部６４は、ステップＳ８０で読み出した着信履歴情報中の電話番号と、ステップＳ８１で読み出した電話帳情報中の電話番号とが一致するか否かの判断を行う（ステップＳ８２）。
【００４７】
そして、一致している場合（ステップＳ８２がＹｅｓ）は、ステップＳ８１で読み出した電話帳情報中の優先表示フラグがＯＮかＯＦＦかの判断を行い（ステップＳ８４）、ＯＮならば（ステップＳ８４がＹｅｓ）、一時記憶部９１上に生成した優先表示着信履歴情報記憶エリア９１１（図９参照）に、ステップＳ８０で読み出した着信履歴情報を格納し（ステップＳ８５）、ＯＦＦならば（ステップＳ８４がＮｏ）、一時記憶部９１上に生成した通常表示着信履歴情報記憶エリア９１２にステップＳ８０で読み出した着信履歴情報を格納する（ステップＳ８６）。
【００４８】
これに対して、着信履歴情報中の電話番号と電話帳情報中の電話番号とが一致していないと判断した場合（ステップＳ８２がＮｏ）は、電話帳記憶部９２から次の電話帳情報を読み出し（ステップＳ８１）、再びステップＳ８２の処理を行う。なお、電話帳記憶部９２の最後の情報まで既に読み出している場合（ステップＳ８３がＹｅｓ）は、ステップＳ８０で読み出した着信履歴情報を通常表示着信履歴情報記憶エリア９１２に格納する（ステップＳ８６）。また、電話帳情報中の優先表示フラグがＯＦＦであった場合（ステップＳ８４がＮｏ）も、ステップＳ８６の処理を行う。
【００４９】
着信履歴管理部６４は、ステップＳ８５或いはステップＳ８６の処理が終了すると、着信履歴記憶部９４から次の着信履歴情報を読み出し（ステップＳ８０）、再び、前述した処理と同様の処理を行う。着信履歴管理部６４は、着信履歴情報記憶部９４に格納されている全ての着信履歴情報に対して上述した処理を行うと（ステップＳ８７がＹｅｓ）、一時記憶部９１に格納されている着信履歴情報を表示部８に表示する（ステップＳ８８）。その際、着信履歴管理部６４は、優先表示着信履歴情報記憶エリア９１１に格納されている着信履歴情報の方が、通常表示着信履歴情報記憶エリア９１２に格納されている着信履歴情報よりも表示順が前になるようにする。
【００５０】
次に、具体例を挙げて着信履歴表示時の動作について説明する。今、例えば、電話帳記憶部９２及び着信履歴記憶部９４の内容がそれぞれ図１０（Ａ），（Ｂ）に示すものになっていたとする。
【００５１】
この例では、電話帳記憶部９２に格納されている電話帳情報の内、表示優先フラグがＯＮになっているのは、管理番号「００２」の電話帳情報だけであり、この電話帳情報に含まれている優先表示電話番号「０３○○○」と同一の電話番号を含んでいる着信履歴情報は、着信履歴記憶部９４に格納されている着信履歴の内の、第３番目の着信履歴情報「１／１９  １９：００  自宅  ０３○○○」だけである。従って、ステップＳ８４の判断結果がＹｅｓとなるのは、着信履歴記憶部９４に格納されている８個の着信履歴情報の内の、第３番目の着信履歴情報「１／１９  １９：００  自宅  ０３○○○」をステップＳ８０で読み込んだ時だけであるので、優先表示着信履歴情報記憶エリア９１１には、第３番目の着信履歴情報「１／１９  １９：００  自宅  ０３○○○」だけが格納され（ステップＳ８５）、他の着信履歴情報は、通常表示着信履歴情報記憶エリア９１２に格納される（ステップＳ８６）。従って、表示部８には、図１０（Ｃ）に示すように、優先表示電話番号「０３○○○」を含んだ上記着信履歴情報「１／１９  １９：００  自宅  ０３○○○」が第１ページの第１番目に表示されることになり、他の着信履歴情報は、その後ろに表示されることになる。
【００５２】
〔発信履歴表示時の動作〕
次に、発信履歴表示時の動作について説明する。ユーザは、発信履歴を表示する際、キー入力部７から発信履歴表示指示を入力する。
【００５３】
これにより、制御部６内の発信履歴管理部６５は、図１１のフローチャートに示すように、記憶装置９上の発信履歴記憶部９５から先頭の発信履歴情報を１件分読み出し（ステップＳ１１０）、更に、電話帳記憶部９２より先頭の電話帳情報を１件分読み出す（ステップＳ１１１）。その後、発信履歴管理部６５は、ステップＳ１１０で読み出した発信履歴情報中の電話番号と、ステップＳ１１１で読み出した電話帳情報中の電話番号とが一致するか否かの判断を行う（ステップＳ１１２）。
【００５４】
そして、一致している場合（ステップＳ１１２がＹｅｓ）は、ステップＳ１１１で読み出した電話帳情報中の優先表示フラグがＯＮかＯＦＦかの判断を行い（ステップＳ１１４）、ＯＮならば（ステップＳ１１４がＹｅｓ）、一時記憶部９１上に生成した優先表示発信履歴情報記憶エリア９１３（図１２参照）に、ステップＳ１１０で読み出した発信履歴情報を格納し（ステップＳ１１５）、ＯＦＦならば（ステップＳ１１４がＮｏ）、一時記憶部９１上に生成した通常表示発信履歴情報記憶エリア９１４にステップＳ１１０で読み出した発信履歴情報を格納する（ステップＳ１１６）。
【００５５】
これに対して、発信履歴情報中の電話番号と電話帳情報中の電話番号とが一致していないと判断した場合（ステップＳ１１２がＮｏ）は、電話帳記憶部９２から次の電話帳情報を読み出し（ステップＳ１１１）、再びステップＳ１１２の処理を行う。なお、電話帳記憶部９２の最後の情報まで既に読み出している場合（ステップＳ１１３がＹｅｓ）は、ステップＳ１１０で読み出した発信履歴情報を通常表示発信履歴情報記憶エリア９１４に格納する（ステップＳ１１６）。また、電話帳情報中の優先表示フラグがＯＦＦであった場合（ステップＳ１１４がＮｏ）も、ステップＳ１１６の処理を行う。
【００５６】
発信履歴管理部６５は、ステップＳ１１５或いはステップＳ１１６の処理が終了すると、発信履歴記憶部９５から次の発信履歴情報を読み出し（ステップＳ１１０）、再び、前述した処理と同様の処理を行う。発信履歴管理部６５は、発信履歴記憶部９５に格納されている全ての発信履歴情報に対して上述した処理を行うと（ステップＳ１１７がＹｅｓ）、一時記憶部９１に格納されている発信履歴情報を表示部８に表示する（ステップＳ１１８）。その際、発信履歴管理部６５は、優先表示発信履歴情報記憶エリア９１３に格納されている発信履歴情報の方が、通常表示発信履歴情報記憶エリア９１４に格納されている発信履歴情報よりも表示順が前になるようにする。
【００５７】
次に、具体例を挙げて発信履歴表示時の動作について説明する。今、例えば、電話帳記憶部９２及び発信履歴記憶部９５の内容がそれぞれ図１３（Ａ），（Ｂ）に示すものになっていたとする。
【００５８】
この例では、電話帳記憶部９２に格納されている電話帳情報の内、表示優先フラグがＯＮになっているのは、管理番号「００２」の電話帳情報だけであり、この電話帳情報に含まれている優先表示電話番号「０３○○○」と同一の電話番号を含んでいる発信履歴情報は、発信履歴記憶部９５に格納されている第３番目の発信履歴情報「１／２０  １２：３０  自宅  ０３○○○」だけである。従って、ステップＳ１１４の判断結果がＹｅｓとなるのは、発信履歴記憶部９５に格納されている８個の発信履歴情報の内の、第３番目の発信履歴情報「１／２０  １２：３０  自宅  ０３○○○」をステップＳ１１０で読み込んだ時だけであるので、優先表示発信履歴情報記憶エリア９１３には、第３番目の発信履歴情報「１／２０  １２：３０  自宅  ０３○○○」だけが格納され（ステップＳ１１５）、他の発信履歴情報は、通常表示発信履歴情報記憶エリア９１４に格納される（ステップＳ１１６）。従って、表示部８には、図１３（Ｃ）に示すように、優先表示電話番号「０３○○○」を含んだ上記発信履歴情報「１／２０  １２：３０  自宅  ０３○○○」が第１ページの第１番目に表示されることになり、他の発信履歴情報は、その後ろに表示されることになる。
【００５９】
なお、上述した説明では、電話帳情報に優先表示フラグを含ませ、優先表示フラグがＯＮになっている電話帳情報中の電話番号を優先表示電話番号とするようにしたが、記憶装置９上に優先表示電話番号を格納する優先表示電話番号記憶部（図示せず）を設け、この優先表示電話番号記憶部に格納されている電話番号と同一の電話番号を含んでいる通信履歴情報（着信履歴情報や発信履歴情報）の表示順を他の通信履歴情報よりも前にするようにしても良い。しかし、本実施の形態のようにした方が、記憶装置９に格納する情報量を少なくすることができる。
【００６０】
〔第１の実施の形態の効果〕
本実施の形態によれば、多数の通信履歴情報（着信履歴情報や発信履歴情報）の中から、ユーザが必要にしている通信履歴情報を容易に探し出すことができるという効果を得ることができる。その理由は、通信履歴記憶部９３に格納されている通信履歴情報の内の、優先表示電話番号を含んでいる通信履歴情報の表示順を、他の通信履歴情報よりも前にする通信履歴管理部６３を備えているからである。
【００６１】
また、本実施の形態によれば、優先表示電話番号を含んでいる通信履歴情報の表示順が、他の通信履歴情報よりも前になるため、通信履歴情報を利用した発信を効率的に行うことが可能になる。即ち、優先表示電話番号を含んでいる通信履歴情報は、ユーザがよく通信を行う大事な通信相手との通信履歴情報であり、このようなよく通信を行う通信相手の通信履歴情報の表示順が前になれば、スクロール操作や、ページ切替操作などを行わずとも、よく通信を行う相手に発信することができるので、通信履歴情報を利用した発信を効率的に行うことが可能になる。
【００６２】
更に、本実施の形態では、電話帳情報に優先表示フラグを含ませ、通信履歴管理部６３が、優先表示フラグが有効になっている電話帳情報に含まれている電話番号を、優先表示電話番号と認識するようにしているので、記憶装置９を効率的に利用することができる。
【００６３】
〔第２の実施の形態〕
次に、本発明の第２の実施の形態について詳細に説明する。本実施の形態は、ユーザが必要としている通信履歴情報（着信履歴情報や発信履歴情報）を容易に探し出せるようにするため、ユーザが必要としている可能性の高い通信履歴情報の表示形態を他の通信履歴情報と異なるものにすることを特徴にしている。
【００６４】
〔第２の実施の形態の構成の説明〕
本実施の形態は、図１に示した携帯電話機１内の制御部６に、図８のフローチャートに示す処理の代わりに図１４のフローチャートに示す処理を行わせ、図１１のフローチャートに示す処理の代わりに図１６のフローチャートに示す処理を行わせることにより実現される。
【００６５】
〔第２の実施の形態の動作の説明〕
次に、本実施の形態の動作について説明する。
【００６６】
〔着信履歴表示時の動作〕
先ず、着信履歴表示時の動作について説明する。ユーザは、着信履歴を表示する場合、キー入力部７から着信履歴表示指示を入力する。
【００６７】
これにより、制御部６内の着信履歴管理部６４は、図１４のフローチャートに示すように、着信履歴記憶部９４から着信履歴情報を１件分読み出し（ステップＳ１４０）、更に、電話帳記憶部９２から電話帳情報を１件分読み出す（ステップＳ１４１）。その後、着信履歴管理部６４は、読み出した着信履歴情報、電話帳情報中の電話番号が一致するか否かを判断する（ステップＳ１４２）。
【００６８】
そして、一致している場合（ステップＳ１４２がＹｅｓ）は、電話帳情報中の優先表示フラグがＯＮか否かを判断し（ステップＳ１４４）、ＯＮならば（ステップＳ１４４がＹｅｓ）、ステップＳ１４０で読み出した着信履歴情報に色情報を付加して一時記憶部９１に格納し（ステップＳ１４５）、ＯＦＦならば（ステップＳ１４４がＮｏ）、ステップＳ１４０で読み出した着信履歴情報をそのまま一時記憶部９１に格納する（ステップＳ１４６）。
【００６９】
これに対して、電話番号が不一致の場合（ステップＳ１４２がＮｏ）は、電話帳記憶部９２から次の電話帳情報を読み出し（ステップＳ１４１）、再びステップＳ１４２の処理を行う。なお、電話帳記憶部９２の最後の情報まで既に読み出している場合（ステップＳ１４３がＹｅｓ）は、ステップＳ１４０で読み出した着信履歴情報を、そのまま一時記憶部９１に格納する（ステップＳ１４６）。また、電話帳情報中の優先表示フラグがＯＦＦであった場合（ステップＳ１４４がＮｏ）も、ステップＳ１４６の処理を行う。
【００７０】
着信履歴管理部６４は、ステップＳ１４５或いはステップＳ１４６の処理が終了すると、着信履歴記憶部９４から次の着信履歴情報を読み出し（ステップＳ１４０）、再び、前述した処理と同様の処理を行う。着信履歴管理部６４は、着信履歴情報記憶部９４に格納されている全ての着信履歴情報に対して上述した処理を行うと（ステップＳ１４７がＹｅｓ）、一時記憶部９１に格納されている着信履歴情報を表示部８に表示する（ステップＳ１４８）。その際、色情報が付加されている着信履歴情報は、色情報によって指定されている色（例えば、赤）で表示し、色情報が付加されていない着信履歴情報は、予め定められている色（例えば、黒）で表示する。
【００７１】
次に、具体例を挙げて着信履歴表示時の動作について説明する。今、例えば、電話帳記憶部９２及び着信履歴記憶部９４の内容がそれぞれ図１５（Ａ），（Ｂ）に示すものになっていたとする。
【００７２】
この例では、電話帳記憶部９２に格納されている電話帳情報の内、表示優先フラグがＯＮになっているのは、管理番号「００２」の電話帳情報だけであり、この電話帳情報に含まれている優先表示電話番号「０３○○○」と同一の電話番号を含んでいる着信履歴情報は、着信履歴記憶部９４に格納されている着信履歴情報の内の、第３番目の着信履歴情報「１／１９  １９：００  自宅  ０３○○○」だけである。従って、ステップＳ１４４の判断結果がＹｅｓとなるのは、着信履歴記憶部９４に格納されている８個の着信履歴情報の内の、第３番目の着信履歴情報「１／１９  １９：００  自宅  ０３○○○」をステップＳ１４０で読み込んだ時だけであるので、着信履歴管理部６４は、この第３番目の着信履歴情報「１／１９  １９：００  自宅  ０３○○○」を一時記憶部９１に格納するときだけ、色情報を付加して格納し（ステップＳ１４５）、他の着信履歴情報はそのまま一時記憶部９１に格納する（ステップＳ１４６）。従って、着信履歴情報を表示部８に表示した際には、図１５（Ｃ）に示すように優先表示電話番号「０３○○○」を含んだ上記着信履歴情報「１／１９  １９：００  自宅  ０３○○○」の表示色が他の着信履歴情報の表示色とは異なるものになる
【００７３】
〔発信履歴表示時の動作〕
次に、発信履歴表示時の動作について説明する。ユーザは、発信履歴を表示する際、キー入力部７から発信履歴表示指示を入力する。
【００７４】
これにより、制御部６内の発信履歴管理部６５は、図１６のフローチャートに示すように、発信履歴記憶部９５から発信履歴情報を１件分読み出す（ステップＳ１６０）と共に、電話帳記憶部９２から電話帳情報を１件分読み出し（ステップＳ１６１）、発信履歴情報中の電話番号と、電話帳情報中の電話番号とが一致するか否かを判断する（ステップＳ１６２）。
【００７５】
そして、一致している場合（ステップＳ１６２がＹｅｓ）は、電話帳情報中の優先表示フラグがＯＮになっているか否かを判断し（ステップＳ１６４）、ＯＮならば（ステップＳ１６４がＹｅｓ）、ステップＳ１６０で読み出した発信履歴情報に色情報を付加して一時記憶部９１に格納し（ステップＳ１６５）、ＯＦＦならば（ステップＳ１６４がＮｏ）、ステップＳ１６０で読み出した発信履歴情報をそのまま一時記憶部９１に格納する（ステップＳ１６６）。
【００７６】
これに対して、発信履歴報中の電話番号と電話帳情報中の電話番号とが一致していない場合（ステップＳ１６２がＮｏ）は、電話帳記憶部９２から次の電話帳情報を読み出し（ステップＳ１６１）、再びステップＳ１６２の処理を行う。なお、電話帳記憶部９２の最後の情報まで既に読み出している場合（ステップＳ１６３がＹｅｓ）は、ステップＳ１６０で読み出した発信履歴情報をそのまま一時記憶部９１に格納する（ステップＳ１６６）。また、電話帳情報中の優先表示フラグがＯＦＦであった場合（ステップＳ１６４がＮｏ）も、ステップＳ１６６の処理を行う。
【００７７】
発信履歴管理部６５は、ステップＳ１６５或いはステップＳ１６６の処理が終了すると、発信履歴記憶部９５から次の発信履歴情報を読み出し（ステップＳ１６０）、再び、前述した処理と同様の処理を行う。そして、発信履歴記憶部９５に格納されている全ての発信履歴情報に対して上述した処理を行うと（ステップＳ１６７がＹｅｓ）、一時記憶部９１に格納されている発信履歴情報を表示部８に表示する（ステップＳ１６８）。その際、発信履歴管理部６５は、色情報が付加されている発信履歴情報は、色情報によって指定されている色（例えば、赤）で表示し、色情報が付加されていない発信履歴情報は、予め定められている色（例えば、黒）で表示する。
【００７８】
次に、具体例を挙げて発信履歴表示時の動作について説明する。今、例えば、電話帳記憶部９２及び発信履歴記憶部９５の内容がそれぞれ図１７（Ａ），（Ｂ）に示すものになっていたとする。
【００７９】
この例では、電話帳記憶部９２に格納されている電話帳情報の内、表示優先フラグがＯＮになっているのは、管理番号「００２」の電話帳情報だけであり、この電話帳情報に含まれている優先表示電話番号「０３○○○」と同一の電話番号を含んでいる発信履歴情報は、発信履歴記憶部９５に格納されている第３番目の着信履歴情報「１／２０  １２：３０  自宅  ０３○○○」だけである。従って、ステップＳ１６４の判断結果がＹｅｓとなるのは、発信履歴記憶部９５に格納されている８個の発信履歴情報の内の、第３番目の発信履歴情報「１／２０  １２：３０  自宅  ０３○○○」をステップＳ１６０で読み込んだ時だけであるので、発信履歴管理部６５は、この第３番目の発信履歴情報「１／２０  １２：３０  自宅  ０３○○○」を一時記憶部９１に格納するときだけ、色情報を付加して格納し（ステップＳ１６５）、他の発信履歴情報はそのまま一時記憶部９１に格納する（ステップＳ１６６）。従って、発信履歴情報を表示部８に表示した際には、図１７（Ｃ）に示すように優先表示電話番号「０３○○○」を含んだ上記着信履歴情報「１／２０  １２：３０  自宅  ０３○○○」の表示色が他の着信履歴情報の表示色とは異なるものになる。
【００８０】
なお、上述した実施の形態では、優先表示電話番号を含んでいる通信履歴情報の表示色を、他の通信履歴情報と異なるものにすることにより、ユーザが必要とする通信履歴情報を容易に探し出せるようにしたが、優先表示電話番号を含んでいる通信履歴情報を点滅させたり、網かけを施すようにしても良い。
【００８１】
〔第２の実施の形態の効果〕
本実施の形態によれば、多数の通信履歴情報（着信履歴情報や発信履歴情報）の中から、ユーザが必要にしている通信履歴情報を容易に探し出すことができるという効果を得ることができる。その理由は、通信履歴記憶部９３に格納されている通信履歴情報の内の、優先表示電話番号を含んでいる通信履歴情報の表示形態を、他の通信履歴情報と異なるものにする通信履歴管理手段６３を備えているからである。
【産業上の利用可能性】
【００８２】
本発明によれば、携帯電話機やＰＨＳなどの携帯端末の着信履歴表示や発信履歴表示を使い勝手が良いものにすることができる。
【図面の簡単な説明】
【００８３】
【図１】本発明の第１の実施の形態の構成例を示すブロック図である。
【図２】電話帳記憶部９２の内容例を示す図である。
【図３】着信履歴記憶部９４の内容例を示す図である。
【図４】発信履歴記憶部９５の内容例を示す図である。
【図５】制御部６の構成例を示すブロック図である。
【図６】電話帳管理部６２の処理例を示すフローチャートである。
【図７】電話帳登録画面７０の一例を示す図である。
【図８】第１の実施の形態における着信履歴管理部６４の処理例を示すフローチャートである。
【図９】第１の実施の形態において、着信履歴の表示時に一時記憶部９１に生成される優先表示着信履歴情報記憶エリア９１１及び通常表示着信履歴情報記憶エリア９１２を示した図である。
【図１０】第１の実施の形態における着信履歴の表示時の動作を説明するための図である。
【図１１】第１の実施の形態における着信履歴管理部６５の処理例を示すフローチャートである。
【図１２】第１の実施の形態において、発信履歴の表示時に一時記憶部９１に生成される優先表示発信履歴情報記憶エリア９１３及び通常表示発信履歴情報記憶エリア９１４を示した図である。
【図１３】第１の実施の形態における発信履歴の表示時の動作を説明するための図である。
【図１４】第２の実施の形態における着信履歴管理部６４の処理例を示すフローチャートである。
【図１５】第２の実施の形態における着信履歴の表示時の動作を説明するための図である。
【図１６】第２の実施の形態における発信履歴管理部６５の処理例を示すフローチャートである。
【図１７】第２の実施の形態における発信履歴の表示時の動作を説明するための図である。
【符号の説明】
【００８４】
１…携帯電話機
２…アンテナ
３…無線部
４…スピーカ
５…マイクロフォン
６…制御部
６１…通信制御部
６２…電話帳管理部
６３…通信履歴管理部
６４…着信履歴管理部
６５…発信履歴管理部
７…キー入力部
８…表示部
９…記憶装置
９１…一時記憶部
９２…電話帳記憶部
９３…通信履歴記憶部
９４…着信履歴記憶部
９５…発信履歴記憶部
９６…プログラム記憶部
【図１】
2007281997.tif 000003
【図２】
2007281997.tif 000004
【図３】
2007281997.tif 000005
【図４】
2007281997.tif 000006
【図５】
2007281997.tif 000007
【図６】
2007281997.tif 000008
【図７】
2007281997.tif 000009
【図８】
2007281997.tif 000010
【図９】
2007281997.tif 000011
【図１０】
2007281997.tif 000012
【図１１】
2007281997.tif 000013
【図１２】
2007281997.tif 000014
【図１３】
2007281997.tif 000015
【図１４】
2007281997.tif 000016
【図１５】
2007281997.tif 000017
【図１６】
2007281997.tif 000018
【図１７】
2007281997.tif 000019